(57)【要約】【課題】ピックアップ装置におけるショートの発生を回避させる。【解決手段】電子部品５，６が取り付けられたフレキシブルプリント基板１０を備えるピックアップ装置１において、フレキシブルプリント基板１０に、掛止部１７及び掛止部１７に対応した掛合部１２を設け、フレキシブルプリント基板１０が折り曲げられて掛合部１２に掛止部１７がフックされることで、電子部品５，６の上部５ａ，６ａをフレキシブルプリント基板１０にて覆う。フレキシブルプリント基板１０の電子部品５，６が他のものに接触してショートが生じ、ピックアップ装置１が正常に作動しないという不具合の発生は回避される。【選択図】図１
2007095145.tif 000002
【特許請求の範囲】
【請求項１】
電子部品が取り付けられたフレキシブルプリント基板を備える光ピックアップ装置において、
該フレキシブルプリント基板に、掛止部及び該掛止部に対応した掛合部を設け、
該フレキシブルプリント基板が折り曲げられて該掛合部に該掛止部がフックされることで、前記電子部品の上部を該フレキシブルプリント基板にて覆うことを特徴とする光ピックアップ装置。
【請求項２】
前記フレキシブルプリント基板は、電気が流される回路導体が形成された基板本体と、該基板本体に形成された部品保護部とを備え、
該回路導体に前記電子部品が接続され、
該基板本体に対し該部品保護部が折り返されて、該電子部品の前記上部を該部品保護部にて覆うことを特徴とする請求項１に記載の光ピックアップ装置。
【請求項３】
前記部品保護部は、前記回路導体を備えることなく、非導通体とされる絶縁シートを備えて形成されたことを特徴とする請求項２に記載の光ピックアップ装置。
【請求項４】
前記電子部品は、前記基板本体の部品装着部に設けられ、該部品装着部に対応して、該基板本体に前記部品保護部が設けられたことを特徴とする請求項２又は３に記載の光ピックアップ装置。
【請求項５】
前記掛合部から前記掛止部が外されることを防ぐ係止部が、該掛止部に設けられ、
該係止部に対応した係合部が、該掛合部に設けられたことを特徴とする請求項１〜４の何れか１項に記載の光ピックアップ装置。
【請求項６】
前記フレキシブルプリント基板が折り曲げられたときに、該フレキシブルプリント基板に生じる復元弾性力により、前記掛合部に前記掛止部がフックされたことを特徴とする請求項１〜５の何れか１項に記載の光ピックアップ装置。
【発明の詳細な説明】
【技術分野】
【０００１】
本発明は、ディスク等のメディアに記録されたデータを再生させることや、メディアにデータを記録させることが可能な光ピックアップ装置に関するものである。
【背景技術】
【０００２】
光ディスクなどのメディアに記録されたデータが読み取られるときに、光ピックアップ装置が用いられる。光ピックアップ装置は、光ディスクが内装可能とされた光ディスク装置に装備されている。また、光ピックアップ装置に、各種電気信号が流されるフレキシブルプリント基板が装備されている。フレキシブルプリント基板には、例えば、光ピックアップ装置を駆動させる各種電子部品が装着されている。
【０００３】
従来の光ピックアップ装置に関するものとして、例えば、フレキシブルプリント基板の接続時に、電源端子を含む接続端子間のショートが発生されないようにした光学ピックアップ及び光ディスク装置というものがある（例えば、特許文献１参照。）。
【特許文献１】特開平１１−２７３１３３号公報（第１、３頁、第１−１０図）
【発明の開示】
【発明が解決しようとする課題】
【０００４】
近年、光ピックアップ装置の部品点数の削減化を要求されている。光ピックアップ装置の部品点数を削減化させることにより、光ピックアップ装置の価格を低く抑えることが行われている。
【０００５】
しかしながら、光ピックアップ装置において、多くの部品点数を削減化した場合、例えば、光ピックアップ装置を構成するフレキシブルプリント基板に設けられた電子部品が光ピックアップ装置の金属製カバーに接触して、ショートが生じることが懸念された。光ピックアップ装置にショートが生じた場合、光ピックアップ装置が正常に作動しない。
【０００６】
本発明は、上記した問題を解決することにある。本発明は、上記した点に鑑み、ショートの発生が回避された光ピックアップ装置を提供することを目的とする。
【課題を解決するための手段】
【０００７】
上記目的を達成するために、本発明の請求項１に係る光ピックアップ装置は、電子部品が取り付けられたフレキシブルプリント基板を備える光ピックアップ装置において、該フレキシブルプリント基板に、掛止部及び該掛止部に対応した掛合部を設け、該フレキシブルプリント基板が折り曲げられて該掛合部に該掛止部がフックされることで、前記電子部品の上部を該フレキシブルプリント基板にて覆うことを特徴とする。
【０００８】
請求項２に係る光ピックアップ装置は、請求項１に記載の光ピックアップ装置において、前記フレキシブルプリント基板は、電気が流される回路導体が形成された基板本体と、該基板本体に形成された部品保護部とを備え、該回路導体に前記電子部品が接続され、該基板本体に対し該部品保護部が折り返されて、該電子部品の前記上部を該部品保護部にて覆うことを特徴とする。
【０００９】
請求項３に係る光ピックアップ装置は、請求項２に記載の光ピックアップ装置において、前記部品保護部は、前記回路導体を備えることなく、非導通体とされる絶縁シートを備えて形成されたことを特徴とする。
【００１０】
請求項４に係る光ピックアップ装置は、請求項２又は３に記載の光ピックアップ装置において、前記電子部品は、前記基板本体の部品装着部に設けられ、該部品装着部に対応して、該基板本体に前記部品保護部が設けられたことを特徴とする。
【００１１】
請求項５に係る光ピックアップ装置は、請求項１〜４の何れか１項に記載の光ピックアップ装置において、前記掛合部から前記掛止部が外されることを防ぐ係止部が、該掛止部に設けられ、該係止部に対応した係合部が、該掛合部に設けられたことを特徴とする。
【００１２】
請求項６に係る光ピックアップ装置は、請求項１〜５の何れか１項に記載の光ピックアップ装置において、前記フレキシブルプリント基板が折り曲げられたときに、該フレキシブルプリント基板に生じる復元弾性力により、前記掛合部に前記掛止部がフックされたことを特徴とする。
【発明の効果】
【００１３】
以上の如く、請求項１に記載の発明によれば、フレキシブルプリント基板が折り曲げられ、フレキシブルプリント基板の掛合部にフレキシブルプリント基板の掛止部がフックされて、フレキシブルプリント基板の電子部品の上部にフレキシブルプリント基板が覆われるので、フレキシブルプリント基板の電子部品が他のものに接触してショートが生じ、光ピックアップ装置が正常に作動しないという不具合の発生は回避される。
【００１４】
請求項２に記載の発明によれば、基板本体の回路導体に接続された電子部品は、基板本体に形成された部品保護部により、他のものから確実に守られる。基板本体に対し部品保護部が折り返されて、電子部品の上部に部品保護部が覆われるので、フレキシブルプリント基板の基板本体の回路導体に接続された電子部品が他のものに接触してショートするという不具合の発生は回避される。
【００１５】
請求項３に記載の発明によれば、基板本体の回路導体に接続された電子部品は、回路導体を備えることなく絶縁シートを備えて形成された部品保護部により、他のものから確実に守られる。フレキシブルプリント基板の部品保護部は、回路導体が設けられていない絶縁シートを備えて形成されているので、フレキシブルプリント基板の部品保護部が電子部品の上部に覆われたときに、フレキシブルプリント基板の部品保護部は、絶縁材として機能する。フレキシブルプリント基板の部品保護部が絶縁材として機能するので、フレキシブルプリント基板の基板本体の回路導体に接続された電子部品が他のものに接触してショートすることはない。
【００１６】
請求項４に記載の発明によれば、フレキシブルプリント基板を構成する基板本体の部品装着部に設けられた電子部品は、フレキシブルプリント基板の基板本体に設けられた部品保護部によって、他のものから確実に守られる。電子部品が設けられたフレキシブルプリント基板の部品装着部に対応して、フレキシブルプリント基板の基板本体に部品保護部が設けられているので、フレキシブルプリント基板の基板本体に対しフレキシブルプリント基板の部品保護部が折り返されるときに、フレキシブルプリント基板の部品保護部は、フレキシブルプリント基板を構成する基板本体の部品装着部に略重ね合わせられる。フレキシブルプリント基板を構成する基板本体の部品装着部に、フレキシブルプリント基板の部品保護部が略重ね合わせられるので、フレキシブルプリント基板を構成する基板本体の部品装着部に設けられた電子部品は、フレキシブルプリント基板の部品保護部により、他のものから守られる。
【００１７】
請求項５に記載の発明によれば、フレキシブルプリント基板は、フレキシブルプリント基板自身に確実にフックされる。フレキシブルプリント基板が折り曲げられて、電子部品の上部にフレキシブルプリント基板が覆われるときに、フレキシブルプリント基板の掛合
部に設けられた係合部に、フレキシブルプリント基板の掛止部に設けられた係止部がフックされることで、フレキシブルプリント基板は、確実にフレキシブルプリント基板自身にフックされ続ける。従って、フレキシブルプリント基板の掛合部からフレキシブルプリント基板の掛止部が外されるという不具合の発生は、回避される。
【００１８】
請求項６に記載の発明によれば、フレキシブルプリント基板は、フレキシブルプリント基板自身にフックされ続ける。フレキシブルプリント基板が折り曲げられたときに、フレキシブルプリント基板に生じる復元弾性力により、フレキシブルプリント基板の掛合部にフレキシブルプリント基板の掛止部がフックされる。従って、フレキシブルプリント基板の掛合部からフレキシブルプリント基板の掛止部が外されるという不具合の発生は、防止される。
【発明を実施するための最良の形態】
【００１９】
以下に本発明に係る光ピックアップ装置の一実施の形態を図面に基づいて詳細に説明する。
【００２０】
図１〜図４は、本発明に係る光ピックアップ装置の一実施の形態を示すものである。
【００２１】
この光ピックアップ装置１は、各種電子部品５，６が取り付けられたフレキシブルプリント基板（ＦＰＣ）１０を、少なくとも備えて構成される。ＦＰＣ１０は、複数の回路導体１０ｂが絶縁シート１０ａに並設され、その上に保護層（図示せず）が設けられて形成される。ＦＰＣ１０に突出片状の掛止部１７が設けられている。また、突出片状の掛止部１７に対応した孔状の掛合部１２がＦＰＣ１０に設けられている。ＦＰＣ１０が折り曲げられて、ＦＰＣ１０の掛合部１２に、ＦＰＣ１０の掛止部１７がフックされることで、ＦＰＣ１０に設けられた各電子部品５，６の上部５ａ，６ａにＦＰＣ１０が覆われる。
【００２２】
耐熱性および可撓性に優れるポリイミド樹脂製のＦＰＣ１０が折り曲げられ、ＦＰＣ１０の孔状掛合部１２にＦＰＣ１０の突出片状掛止部１７がフックされて、ＦＰＣ１０に設けられた各電子部品５，６の上部５ａ，６ａに、ＦＰＣ１０が覆われるので、ＦＰＣ１０に設けられた電子部品５，６が、例えば、光ピックアップ装置１を構成する金属製カバー２０に接触してショートが生じ、光ピックアップ装置１が正常に作動しないという不具合の発生は回避される。
【００２３】
金属製カバー２０は、光ピックアップ装置１を構成するハウジング８０の上側に取り付けられる。また、不図示の金属製カバーが、光ピックアップ装置１を構成するハウジング８０の下側に取り付けられる。ＦＰＣ１０の下側においても、掛合部１２、掛止部１７が設けられている。この発明における「上」、「下」の定義は、便宜上の定義とされる。
【００２４】
ＦＰＣ１０は、電気が流される各回路導体１０ｂが形成されたポリイミド樹脂製の基板本体１１と、基板本体１１に突出形成されたポリイミド樹脂製の部品保護部１６とを備えている。基板本体１１の各回路導体１０ｂに各電子部品５，６が通電可能に接続される。基板本体１１に対し部品保護部１６が折り返されて、各電子部品５，６の上部５ａ，６ａに部品保護部１６が覆われる。基板本体１１に対し、ＦＰＣ１０の折曲げ部１０ｕを基準に部品保護部１６が折り返されることで、各電子部品５，６の上部５ａ，６ａに部品保護部１６が覆われる。
【００２５】
これにより、基板本体１１の回路導体１０ｂに通電可能に接続された各電子部品５，６は、基板本体１１に突出形成された部品保護部１６により、他のものから確実に守られる。基板本体１１に対し部品保護部１６が折り返されて、各電子部品５，６の上部５ａ，６ａに部品保護部１６が覆われるので、ＦＰＣ１０の基板本体１１の回路導体１０ｂに通電
可能に接続された電子部品５，６が、例えば、金属製カバー２０などに接触してショートするという不具合の発生は回避される。
【００２６】
部品保護部１６は、回路導体１０ｂを備えることなく、非導通体とされる絶縁シート１０ａを備えて形成されている。
【００２７】
基板本体１１の各回路導体１０ｂに通電可能に接続された各電子部品５，６は、回路導体１０ｂを備えることなく絶縁シート１０ａを備えて形成された部品保護部１６により、他のものから確実に守られる。ＦＰＣ１０の部品保護部１６は、回路導体１０ｂが設けられていない絶縁シート１０ａを備えて形成されているので、ＦＰＣ１０の部品保護部１６が各電子部品５，６の上部５ａ，６ａに覆われたときに、ＦＰＣ１０の部品保護部１６は、絶縁材として機能する。ＦＰＣ１０の部品保護部１６が絶縁材として機能するので、ＦＰＣ１０の基板本体１１の各回路導体１０ｂに通電可能に接続された各電子部品５，６が、金属製カバー２０に接触してショートすることはない。
【００２８】
各電子部品５，６は、基板本体１１の部品装着部１１ａに設けられ、部品装着部１１ａに対応して、基板本体１１に部品保護部１６が突設されている。
【００２９】
これにより、ＦＰＣ１０を構成する基板本体１１の部品装着部１１ａに設けられた各電子部品５，６は、ＦＰＣ１０の基板本体１１に突設された部品保護部１６によって、金属製カバー２０から確実に守られる。各電子部品５，６が設けられたＦＰＣ１０の部品装着部１１ａに対応して、ＦＰＣ１０の基板本体１１に部品保護部１６が突設されているので、ＦＰＣ１０の基板本体１１に対しＦＰＣ１０の部品保護部１６が折り返されるときに、ＦＰＣ１０の部品保護部１６は、ＦＰＣ１０を構成する基板本体１１の部品装着部１１ａに略重ね合わせられる。ＦＰＣ１０を構成する基板本体１１の部品装着部１１ａに、ＦＰＣ１０の部品保護部１６が略重ね合わせられるので、ＦＰＣ１０を構成する基板本体１１の部品装着部１１ａに設けられた各電子部品５，６は、ＦＰＣ１０の部品保護部１６により、他のものから守られると共に、金属製カバー２０と確実に絶縁状態となる。
【００３０】
ＦＰＣ１０の基板本体１１に対してＦＰＣ１０の部品保護部１６が折り返されて、各電子部品５，６の上部５ａ，６ａにＦＰＣ１０の部品保護部１６が覆われるときに、ＦＰＣ１０を構成する基板本体１１の掛合部１２に、ＦＰＣ１０を構成する部品保護部１６の掛止部１７がフックされることで、ＦＰＣ１０の部品保護部１６は、ＦＰＣ１０の基板本体１１に設けられた各電子部品５，６の上部５ａ，６ａに覆われつつ、ＦＰＣ１０の基板本体１１にフックされる。
【００３１】
ＦＰＣ１０の基板本体１１に対してＦＰＣ１０の部品保護部１６が折り曲げられて、各電子部品５，６の上部５ａ，６ａにＦＰＣ１０の部品保護部１６が覆われるときに、ＦＰＣ１０を構成する基板本体１１の掛合部１２に、ＦＰＣ１０を構成する部品保護部１６の掛止部１７がフックされることで、ＦＰＣ１０の部品保護部１６は、確実にＦＰＣ１０の基板本体１１に引っ掛けられる。従って、例えば、各電子部品５，６の上部５ａ，６ａに覆われたＦＰＣ１０の部品保護部１６が不用意にずらされ、ＦＰＣ１０の基板本体１１の電子部品５，６が、金属製カバー２０に接触してショートが生じるという不具合の発生は、未然に防止される。
【００３２】
ＦＰＣ１０の基板本体１１の掛合部１２からＦＰＣ１０の部品保護部１６の掛止部１７が不用意に外されることを防ぐ一対の係止部１８が、ＦＰＣ１０の部品保護部１６の掛止部１７に設けられている。一対の係止部１８に対応した一対の係合部１３が、ＦＰＣ１０の基板本体１１の掛合部１２に設けられている。
【００３３】
これにより、ＦＰＣ１０の部品保護部１６は、ＦＰＣ１０の基板本体１１に確実にフックされる。ＦＰＣ１０の基板本体１１に対してＦＰＣ１０の部品保護部１６が折り曲げられて、各電子部品５，６の上部５ａ，６ａにＦＰＣ１０の部品保護部１６が覆われるときに、ＦＰＣ１０を構成する部品保護部１６の掛合部１２に設けられた一対の係合部１３に、ＦＰＣ１０を構成する基板本体１１の掛止部１７に設けられた一対の係止部１８がフックされることで、ＦＰＣ１０の部品保護部１６は、確実にＦＰＣ１０の基板本体１１にフックされ続ける。従って、ＦＰＣ１０を構成する基板本体１１の掛合部１２から、ＦＰＣ１０を構成する部品保護部１６の掛止部１７が不用意に外されるという不具合の発生は、回避される。
【００３４】
光ピックアップ装置１の設計／仕様などにより、掛止部１７は、例えば、舌片状に形成されていてもよい。
【００３５】
平板状のＦＰＣ１０が折り曲げられたときに、ＦＰＣ１０に生じる復元弾性力により、掛合部１２に掛止部１７がフックされる。
【００３６】
これにより、ＦＰＣ１０の部品保護部１６は、ＦＰＣ１０の基板本体１１にフックされ続ける。略薄肉平板状のＦＰＣ１０が折り曲げられたときに、ＦＰＣ１０に生じる復元弾性力により、ＦＰＣ１０を構成する基板本体１１の掛合部１２にＦＰＣ１０を構成する部品保護部１６の掛止部１７がフックされる。従って、ＦＰＣ１０を構成する基板本体１１の掛合部１２から、ＦＰＣ１０を構成する部品保護部１６の掛止部１７が不用意に外されるという不具合の発生は、防止される。
【図面の簡単な説明】
【００３７】
【図１】本発明に係る光ピックアップ装置の一実施の形態を示す説明図である。
【図２】光ピックアップ装置を構成するフレキシブルプリント基板が折り曲げられた状態を示す説明図である。
【図３】光ピックアップ装置を構成するフレキシブルプリント基板がハウジングに取り付けられる状態を示す分解斜視図である。
【図４】光ピックアップ装置を構成するフレキシブルプリント基板の上部にカバーが覆われる状態を示す分解斜視図である。
【符号の説明】
【００３８】
１          光ピックアップ装置
５，６      電子部品
５ａ，６ａ  上部
１０        ＦＰＣ（フレキシブルプリント基板）
１０ａ      絶縁シート
１０ｂ      回路導体
１１        基板本体
１１ａ      部品装着部
１２        掛合部
１３        係合部
１６        部品保護部
１７        掛止部
１８        係止部
【図１】
2007095145.tif 000003
【図２】
2007095145.tif 000004
【図３】
2007095145.tif 000005
【図４】
2007095145.tif 000006